(57)【要約】【課題】搬送や設置が容易であるとともに、衛生的に使用することが可能なトイレユニットを提供する。【解決手段】本考案のトイレユニット１ａは、台座２の上部四方に立設された側壁３ａ〜３ｃの天井部分を屋根３ｄで覆い、側壁３ｃに矩形状の開口部４ａを設けて小用便器５ａのし尿受け部６ａを側壁３ｃの外部に露出可能にするとともに、側壁３ｃの外面に開口部４ａを挟むように、かつ利用者がその間に入ることができる程度の距離を隔てて固定具８を用いて仕切り板７，７を鉛直軸８ａを中心として回動自在に取付けたことを特徴とする。【選択図】図１
0003122383.tif 000002
【実用新案登録請求の範囲】
【請求項１】
上部が開放され下部に排出口が設けられたし尿受け部を有するとともに水平に設けられた支軸部を中心として傾動自在に軸支される小用便器と、この小用便器を囲繞し、その一部に開口部が設けられた側壁とを備え、前記し尿受け部は下部から上部に向かって拡開する漏斗状に形成され、前記小用便器は前記支軸部を中心として傾動させることにより少なくともその一部を前記開口部から出入り自在に設置され、前記し尿受け部の開放された上部は前記側壁の内部又は外部に露出されることを特徴とするトイレユニット。
【請求項２】
前記小用便器には前記支軸部が設けられる代わりに長孔が穿設され、前記開口部はこの長孔に貫通可能な突起部を備え、この突起部によって前記小用便器は少なくともその一部を前記開口部から出入り自在に支持され、前記し尿受け部の開放された上部は前記側壁の内部又は外部に露出されることを特徴とする請求項１記載のトイレユニット。
【請求項３】
前記小用便器に加え、大小兼用便器を備えたことを特徴とする請求項１又は請求項２に記載のトイレユニット。
【請求項４】
前記側壁の外面に、前記開口部を挟むように、かつ前記小用便器の利用者がその間に入れる程度の隙間を形成して設置される一対の仕切り板を備えることを特徴とする請求項１乃至請求項３のいずれか１項に記載のトイレユニット。
【請求項５】
前記仕切り板は、その側面を前記側壁に当接可能に鉛直軸を中心として回動自在な取付具を備えることを特徴とする請求項１乃至請求項４のいずれか１項に記載のトイレユニット。
【考案の詳細な説明】
【技術分野】
【０００１】
本考案は、屋外に据え付けられて使用されるトイレユニットに係り、特に小用便器を備えたトイレユニットに関する。
【背景技術】
【０００２】
工事現場やイベント会場など一時的に多くの人が集まる場所に仮設されるトイレユニットは、一般に、し尿タンクの上部に便器を取付け、その周りを仕切り板で囲った構造であることが多く、使用効率を高めることを目的として大小兼用の便器と小用便器とを併設したタイプがよく知られている。しかしながら、このようなトイレユニットは、水洗設備や換気設備が簡略化されているため、便器の十分な洗浄が難しく、悪臭もこもり易い。特に、小用便器は汚れが付着し易く、利用者に不快感を与えていた。また、その汚れが悪臭の発生源となって、トイレ内部の環境をさらに悪化させていた。加えて、大小兼用の便器と小用便器が併設されたトイレユニットにおいては、小用便器の汚れや悪臭が女性の利用者を敬遠させ、使用効率を低くしていた。そこで、このような課題に対処するべく、従来、衛生的に使用できるトイレユニットに関して様々な提案がなされており、多くの発明や考案が開示されている。
【０００３】
例えば、特許文献１には、「仮設トイレ」という名称で、複数人で同時に使用できるとともに、搬送時のコスト及び時間の低減と内部の無用な汚染を防ぐことが可能なトイレユニットに関する発明が開示されている。
【０００４】
以下、図１０を参照しながら、特許文献１に開示された発明について説明する。
図１０は従来技術の仮設トイレの斜視図である。
図１０に示すように、従来技術に係る発明である仮設トイレは、四角筒状の本体５１の内部と底部にそれぞれ便器と排泄物のタンク５２が配設され、一側壁面に配設されたドアと反対側の壁面５１ａに朝顔状の便器本体５４ａとその底部にタンク５２の開口部５３と連通して設けられたホース５４ｂとで構成される小用便器５４が着脱自在に取り付けられている。小用便器５４の両側には、仕切り板５５，５６がパイプ５７ａと固定パイプ５７ｂとを有する固定具５７により開いた状態で壁面５１ａに固定されるとともに、小用便器５４上方の壁面５１ａには屋根５８が取付けられ、ストッパ棒５９で下方から支持・固定されている。また、折り畳まれた屋根５８は、パイプ嵌合用のストッパ６０によって壁面５１ａに固定可能となっている。
上記構造の「仮設トイレ」においては、本体内部の便器と外壁設置の小用便器５４とを同時に使用することができるため、トイレの使用効率が高まる。これにより、仮設トイレの設置数を少なくできるので、その搬送時のコスト及び時間を低減することができる。また、小用便器５４が外壁に設置されているため、本体内部の汚れを少なくすることができる。
【０００５】
また、特許文献２には、「仮設トイレ」という名称で、衛生面に優れるとともに、美観を損なうことなく様々な設置場所に対応可能なトイレユニットに関する発明が開示されている。
特許文献２に開示された発明は、底板と側板と後板とから形成される上方及び前方に開口したボックス内の後板上部に小便器が設置され、ボックスの上方開口部及び前方開口部に天板及び左右の前扉がそれぞれ開閉自在に取り付けられた構造となっている。
上記構造の「仮設トイレ」においては、天板と左右の前扉を閉じると小便器全体が完全に隠される。従って、設置場所の美観を損なうおそれがない。また、ボックス内の後板上部に小便器が取り付けられているため、ボックスの背丈を最小限にして様々な設置場所に対応させることが可能である。
【０００６】
さらに、特許文献３には「小便器及びこれを用いたトイレ」という名称で、清潔感があり、悪臭の発生を抑えることが可能な小便器とそれを用いたトイレユニットに関する発明が開示されている。
特許文献３に開示された発明である小便器は、小便をかける縦溝が形成された小便器本体の下端部に姿勢切換機構を備えたボール状の小便受けが回転可能に嵌め込まれ、小便器本体の上部に設けられた放水部から流れ落ちる洗浄水によって縦溝の正面開口に水流膜を形成する構造となっている。そして、その小便器がトイレの奥側に配置され、仕切り壁を隔てて出入口側に大便器が配置されることを特徴としている。
上記構造の「小便器及びこれを用いたトイレ」においては、水流膜が縦溝にかけられた小便の跳ね返りを防ぐため、小便器が汚れ難い。また、使用しない場合には、小便受けを回転させて汚い部分を隠すとともに悪臭の発生を防ぐことができる。
【０００７】
【特許文献１】特開平０９−３２８９１６号公報
【特許文献２】特開２００５−１９８９５３号公報
【特許文献３】特開２００２−２４２２７５号公報
【考案の開示】
【考案が解決しようとする課題】
【０００８】
しかしながら、上述の従来技術である特許文献１に開示された発明においては、小用便器５４がトイレの外壁に取付けられているため、設置場所によっては美観を損ねるおそれがあった。また、悪天候の場合や冬場など外気温が低い場合には、小用便器５４を利用し難いという課題があった。
【０００９】
特許文献２に開示された発明においては、雨除け等の設備を備えていないため、雨や雪の日には利用することができない。また、大小兼用の便器と小用便器とを併設したタイプの仮設トイレには適用できないという課題があった。
【００１０】
また、特許文献３に開示された発明においては、小便器の構造が複雑なため、トイレユニットに適用した場合には、重量増加により搬送コストが高くなってしまう。また、小便受けの回転だけでは悪臭の発生を完全に防止することは困難であり、この悪臭がトイレ内に充満するおそれがあった。
【００１１】
本考案はかかる従来の事情に対処してなされたものであり、搬送や設置が容易であるとともに、衛生的に使用することが可能なトイレユニットを提供することを目的とする。
【課題を解決するための手段】
【００１２】
上記目的を達成するため、請求項１記載の考案は、上部が開放され下部に排出口が設けられたし尿受け部を有するとともに水平に設けられた支軸部を中心として傾動自在に軸支される小用便器と、この小用便器を囲繞し、その一部に開口部が設けられた側壁とを備え、し尿受け部は下部から上部に向かって拡開する漏斗状に形成され、小用便器は支軸部を中心として傾動させることにより少なくともその一部を開口部から出入り自在に設置され、し尿受け部の開放された上部は側壁の内部又は外部に露出されることを特徴とするものである。
このような構成のトイレユニットにおいては、小用便器の支持構造が簡単なものとなる。また、し尿受け部を側壁の外部側に露出させることにより、トイレユニットの外部での小用便器の利用が可能となる。このように、トイレユニットの外部で小用便器を利用した場合、小用便器を発生源とする臭気は大気中に速やかに拡散される。さらに、トイレユニットの外部で小用便器を利用し難い場合や小用便器が雨水等にさらされるおそれがある場合には、し尿受け部が側壁の内部側に露出するように小用便器をトイレユニットの内部に簡単に収納することができる。これにより、トイレユニット内での小用便器の利用が可能となるとともに、雨水等による小用便器の汚れを防ぐことができる。
【００１３】
また、請求項２記載の考案は、請求項１記載のトイレユニットにおいて、小用便器には支軸部が設けられる代わりに長孔が穿設され、開口部はこの長孔に貫通可能な突起部を備え、この突起部によって小用便器は少なくともその一部を開口部から出入り自在に支持され、し尿受け部の開放された上部は側壁の内部又は外部に露出されることを特徴とするものである。
このような構成のトイレユニットにおいては、請求項１記載の考案よりもさらに簡単な構造で小用便器が支持される。
【００１４】
請求項３記載の考案は、請求項１又は請求項２に記載のトイレユニットにおいて、小用便器に加え、大小兼用便器を備えたことを特徴とするものである。
このような構成のトイレユニットにおいては、し尿受け部を壁面の外部側に露出させることにより、トイレユニット内に居る大小兼用便器の利用者の目に触れないようにすることができる。また、トイレユニットの外部と内部で小用便器と大小兼用便器をそれぞれ利用する場合には、各利用者が直接顔を合わせることがない。
【００１５】
請求項４記載の考案は、請求項１乃至請求項３のいずれか１項に記載のトイレユニットにおいて、側壁の外面に、開口部を挟むように、かつ小用便器の利用者がその間に入れる程度の隙間を形成して設置される一対の仕切り板を備えることを特徴とするものである。
このような構成のトイレユニットにおいては、小用便器の上方及び前方が開放されているため、小用便器から立ち上る臭気の拡散が阻害されることなく、小用便器の利用者の前面及び側面の姿が隠される。すなわち、小用便器の利用者のプライバシーが保護される。
【００１６】
請求項５記載の考案は、請求項１乃至請求項４のいずれか１項に記載のトイレユニットにおいて、仕切り板は、その側面を側壁に当接可能に鉛直軸を中心として回動自在な取付具を備えることを特徴とするものである。
このような構成のトイレユニットにおいては、仕切り板を邪魔にならない位置まで回動させることによって設置スペースが節約される。また、設置作業も容易になる。さらに、トイレユニットを撤去する場合、仕切り板を側壁に当接するまで回動させてトイレユニットの外形の突出部分を少なくすることによれば、撤去作業及び搬送作業が容易になる。
【考案の効果】
【００１７】
以上説明したように、本考案の請求項１に記載のトイレユニットにおいては、小型化及び軽量化が可能である。従って、設置作業や搬送作業が容易となる。また、製造コストを下げることができる。さらに、小用便器の悪臭や汚れが防止されるため、トイレユニットの利用環境が衛生的かつ快適なものになる。
【００１８】
本考案の請求項２に記載のトイレユニットにおいては、請求項１記載の考案よりもさらに小型化、軽量化、低コスト化が容易となる。
【００１９】
本考案の請求項３に記載のトイレユニットにおいては、小用便器のし尿受け部が汚れている場合でも大小兼用便器の利用者に不快感を与える心配がない。また、小用便器と大小兼用便器の各利用者が互いに遠慮することなく気軽にトイレユニットを利用することができる。従って、小用便器と大小兼用便器の同時利用が容易となって、仮設トイレの使用効率が高まる。
【００２０】
本考案の請求項４に記載の考案においては、小用便器の利用者が安心して快適にトイレユニットを利用することができる。
【００２１】
本考案の請求項５に記載のトイレユニットによれば、搬送、設置、撤去に要する費用を下げることが可能である。
【考案を実施するための最良の形態】
【００２２】
以下に、本考案の最良の実施の形態に係るトイレユニットの実施例について説明する。
【実施例１】
【００２３】
実施例１のトイレユニットについて図１乃至図４を用いて説明する（特に請求項１、請求項３乃至請求項５に対応）。
図１（ａ）及び（ｂ）は本考案の実施の形態に係るトイレユニットの実施例１において小用便器をトイレの外部及び内部でそれぞれ使用する場合の外観斜視図である。また、図２は実施例１のトイレユニットの平面図である。
図１（ａ）及び（ｂ）に示すように、本考案のトイレユニット１ａは、台座２の上部四方に立設された側壁３ａ〜３ｃの天井部分を屋根３ｄで覆い、側壁３ｃに矩形状の開口部４ａを設けて小用便器５ａのし尿受け部６ａを側壁３ｃの外部に露出可能にするとともに、側壁３ｃの外面に開口部４ａを挟むように、かつ利用者がその間に入ることができる程度の距離を隔てて仕切り板７，７を取り付けたものである。そして、仕切り板７，７は側壁３ｃに蝶番などの固定具８を用いて鉛直軸８ａを中心として回動自在に取り付けられており、小用便器５ａをトイレユニット１ａの内部に収納した状態においては、回動により側壁３ｃに当接可能となっている。なお、小用便器５ａは側壁３ｃだけでなく、側壁３ａや側壁３ｂにも設置することができる。また、１組に限らず、２組以上設置しても良い。さらに、固定具８の個数や位置は図１に示すものに限らず、適宜変更可能であり、固定具８は必ずしも蝶番でなくとも良い。加えて、仕切り板７を側壁３ｃに着脱可能に取り付けた構造とすることもできる。
【００２４】
図２に実線及び破線でそれぞれ示されるように、小用便器５ａはトイレユニット１ａの内部又は外部で使用可能となっている。また、小用便器５ａ以外にも大小兼用の洋式便器９と手洗カウンター１０が設置されている。そして、洋式便器９の配管９ａと手洗カウンター１０の配管（図示せず）及び小用便器５ａの排出口１３に接続された後述する配管（図示せず）は、台座２に内蔵されたし尿タンク（図示せず）に接続されている。さらに、洋式便器９は仕切り壁１１ａ，１１ｂによって小用便器５ａ及び手洗カウンター１０から隔てられおり、側壁３ａ及び仕切り壁１１ａにはドア１２ａ，１２ｂがそれぞれ取付けられて出入り口を形成している。  
なお、本考案のトイレユニットは図２に示す場合に限定されるものではなく、種々変更可能である。例えば、洋式便器９や手洗カウンター１０は必ずしも必要ではなく、小用便器５ａのみを設置した構造であっても良い。また、洋式便器９の代わりに和式便器を設置しても良い。さらに、台座２の代わりに底板を備え、その上部にし尿タンクを配置した構造としても良い。
【００２５】
このような構造のトイレユニット１ａによれば、トイレユニット１ａの内部のみならず外部においても小用便器５ａの利用が可能である。そして、トイレユニット１ａの外部で小用便器５ａを利用する場合には、小用便器５ａの発する臭気がトイレユニット１ａ内にこもって利用者を悩ますおそれがない。また、トイレユニット１ａの内部に居る洋式便器９の利用者は小用便器５ａのし尿受け部６ａを見なくてすむため、万一、し尿受け部６ａが汚れている場合であっても、不快感が軽減される。さらに、小用便器５ａの利用者はトイレユニット１ａの外部に居るため、洋式便器９の利用者と顔を合わせる可能性が低い。すなわち、小用便器５ａと洋式便器９の一方が利用中であっても、他方の便器を気兼ねなく利用することが可能である。加えて、雨天時等には小用便器５ａをトイレユニット１ａの内部に収納することにより、し尿タンクへの雨水等の流入や小用便器５ａの汚れが防止される。もちろん、悪天候の場合や外気温が低い場合、あるいは設置スペースが狭い場合や周囲の美観を損ねるおそれがある場合には、小用便器５ａをトイレユニット１ａの内部で利用することができる。
また、小用便器５ａの両側に配置された仕切り板７，７は小用便器５ａの利用者を隠して、そのプライバシーを保護する。このとき、小用便器５ａの上部や前方が開放されているため、臭気の拡散が容易である。さらに、小用便器５ａをトイレユニット１ａの内部で利用する場合には、仕切り板７を回動させて邪魔にならないようにすることができる。特に、トイレユニット１ａの設置時にはその設置スペースに応じて仕切り板７の回動角度を調整すると良い。また、トイレユニット１ａを撤去する場合には、小用便器５ａをトイレユニット１ａの内部に収納するとともに仕切り板７を側壁３ｃに当接するまで回動させることによれば、トイレユニット１ａの外形の突出部分が少なくなり搬送作業が容易になる。
【００２６】
次に、小用便器５ａの構造について図３及び図４を用いて説明する。
図３（ａ）及び（ｂ）はそれぞれ実施例１のトイレユニットの小用便器の正面図及び側面図であり、（ｃ）は固定部材の外観斜視図である。また、図４（ａ）は実施例１のトイレユニットの内部側の小用便器及びその周辺を示す部分拡大図であり、（ｂ）は図４（ａ）のＸ−Ｘ線矢視断面図である。なお、図１及び図２の構成要素と同じものについては、同一の符号を付してその説明を省略する。
図３（ａ）及び（ｂ）に示すように、小用便器５ａには下部から上部に向かって拡開する漏斗状のし尿受け部６ａが形成されており、小用便器５ａに向けてなされた小便はし尿受け部６ａの内壁を伝って流れ落ち、側面１４ａの下部に設けられた略円形の排出口１３から排出される構造となっている。なお、側面１４ａ，１４ｃは、小用便器５ａの一部を開口部４ａから出入可能とするため、開口部４ａよりも小さく形成されている。そして、小用便器５ａの側面１４ａの上部には把持部１５が取付けられており、側面１４ｂ，１４ｂの下端近傍には円筒状の支軸部１６ａ，１６ａが設けられている。また、図３（ｃ）に示すように、固定部材１８ａは小用便器５ａの支軸部１６ａを挿通可能な貫通孔１７ｂを有し、貫通孔１７ｂを挟んで４つのネジ孔１７ａが形成されている。なお、排出口１３の流路断面は必ずしも円形である必要はなく、例えば、矩形状やそれ以外の形状であっても良い。
図４（ａ）及び（ｂ）に示すように、開口部４ａの下端近傍の両側にネジ留めされた固定部材１８ａ，１８ａによって、小用便器５ａは支軸部１６ａ，１６ａを中心として傾動自在に設置されている。また、小用便器５ａの傾動可能範囲は開口部４ａの上端にネジ留めされたストッパ２２ａにより制限されている。すなわち、小用便器５ａは実線で示す状態（側面１４ｃが側壁３ｃと略平行となる状態）から破線で示す状態（側面１４ａが側壁３ｃと略平行となる状態）の範囲内で矢印Ａ又は矢印Ｂで示す方向に傾動可能となっている。なお、開口部４ａの面積を調節して小用便器５ａの傾動可能な範囲を制限することも可能である。この場合には、ストッパ２２ａを省略することができる。
また、小用便器５ａの排出口１３には防水性に優れるゴム製の配管取付部材１９をジョイントとして配管２０が接続されている。すなわち、し尿受け部６ａから排出口１３に排出された小便は、配管２０を通って前述のし尿タンク（図示せず）内に流れ込むのである。なお、配管取付部材１９は排出口１３の移動に追随して伸縮可能な蛇腹形状であり、小用便器５ａの傾動に伴って排出口１３の位置が変わった場合でも配管２０が排出口１３から外れることはない。
このような構造の小用便器５ａによれば、把持部１５を持って操作することにより、し尿受け部６ａが側壁３ｃの内部側又は外部側に露出されるように小用便器５ａの一部を開口部４ａから容易に出入させることができる。また、支軸部１６ａや固定部材１８ａあるいはストッパ２２ａは構造が簡単であるため、軽量化や製造コストの削減が可能である。
【００２７】
以上説明したように、本実施例のトイレユニット１ａは、設置場所の状況や利用環境に応じて、小用便器５ａの利用状態を自由に選択することが可能であり、利便性に優れるものである。また、雨等による汚れを防ぐとともに、悪臭を速やかに拡散して、トイレユニット１ａ内を常に衛生的な状態に保つことができる。さらに、小用便器５ａをトイレユニット１ａの外部で利用可能とすることにより、小用便器５ａを発生源とする臭気を効果的に大気中に拡散することができる。加えて、小用便器５ａと洋式便器９の同時利用を可能として、トイレユニット１ａの使用効率を高めることができる。また、設置や撤去及び搬送作業に要する時間や費用を削減することも可能である。
【実施例２】
【００２８】
実施例２について図５乃至図７を用いて説明する（特に請求項２に対応）。
図５は本考案の実施の形態に係るトイレユニットの実施例２において小用便器をトイレの外部で使用する場合の外観斜視図である。また、図６（ａ）及び（ｂ）はそれぞれ実施例２のトイレユニットの小用便器の正面図及び側面図であり、（ｃ）は固定部材の外観斜視図である。さらに、図７（ａ）は実施例２のトイレユニットの内部側の小用便器及びその周辺を示す部分拡大図であり、（ｂ）は図７（ａ）のＹ−Ｙ線矢視断面図である。なお、図１乃至図４の構成要素と同じものについては、同一の符号を付してその説明を省略する。
図５に示すように、本実施例のトイレユニット１ｂは、実施例１において小用便器５ａに代えてし尿受け部６ｂを有する小用便器５ｂを備え、小用便器５ｂを側壁３ｃに対して直交する方向にスライド可能としたことを特徴とする。以下、図６及び図７を用いて小用便器５ｂの構造について詳しく説明する。
図６（ａ）及び（ｂ）に示すように、小用便器５ｂは上部が開放された略直方体形状をなしており、側面１４ａの下部にはし尿受け部６ｂになされた小便を排出するために略円形の排出口１３が設けられている。なお、し尿受け部６ｂの内壁は、小便を集めて排出口１３から効率よく排出するために、その下部が排出口１３に向かって傾斜している。また、小用便器５ａの側面１４ｂ，１４ｂの上部には水平方向に長孔２３が形成されている。さらに、図６（ｃ）に示すように、固定部材１８ｂはこの長孔２３に挿通可能な突起部１７ｃを有し、この突起部１７ｃの両側には４つのネジ孔１７ａが穿設されている。
図７（ａ）及び（ｂ）に示すように、開口部４ｂの上部両側には固定部材１８ｂ，１８ｂがネジ留めされており、小用便器５ｂは長孔２３に突起部１７ｃを挿通させることにより、支持されている。また、開口部４ｂの上端にネジ留めされたストッパ２２ｂ，２２ｂは小用便器５ｂの上端に当接しており、小用便器５ｂが突起部１７ｃを中心として傾動することを防いでいる。さらに、小用便器５ｂの排出口１３に配管取付部材１９をジョイントとして接続される配管２０は合成樹脂等の柔軟性のある材質でできており、排出口１３の水平移動に追随可能となっている。
このような構造のトイレユニット１ｂにおいては、小用便器５ｂを実線で示す状態から破線で示す状態の範囲内で矢印Ｃ又は矢印Ｄで示す方向にスライドさせることが可能である。すなわち、小用便器５ｂの一部を開口部４ｂから出入させることにより、し尿受け部６ｂが側壁３ｃの内部又は外部に容易に露出される。また、トイレユニット１ｂにおいては、小用便器５ｂを移動可能に支持する構造が簡単であるため、製造コストの削減が可能である。
なお、本考案のトイレユニット１ｂは本実施例に示した構成に限定されるものではない。例えば、ストッパ２２ｂ，２２ｂを省略するとともに、長孔２３を円弧状に形成し、この長孔２３に沿って突起部１７ｃが相対的に移動するように小用便器５ｂを傾動させる構造としても良い。
【実施例３】
【００２９】
実施例３について図８及び図９を用いて説明する。
図８（ａ）及び（ｂ）はそれぞれ実施例３のトイレユニットの小用便器の正面図及び側面図であり、（ｃ）は固定部材の外観斜視図である。また、図９（ａ）は実施例３のトイレユニットの内部側の小用便器及びその周辺を示す部分拡大図であり、（ｂ）は図９（ａ）のＺ−Ｚ線矢視断面図である。なお、図１乃至図７の構成要素と同じものについては、同一の符号を付してその説明を省略する。
図８及び図９に示すように、本実施例のトイレユニット１ｃは、実施例１において側壁３ｃに矩形状の開口部４ａに代えて凸部２１を有する開口部４ｃを設けるとともに、小用便器５ａに代えて小用便器５ｃを備えるものである。そして、小用便器５ｃは、側面１４ｂ，１４ｂの下端近傍に角柱状の支軸部１６ｂ，１６ｂが設けられおり、開口部４ｃの下端近傍の両側にネジ留めされた固定部材１８ｃ，１８ｃの貫通孔１７ｄにこの支軸部１６ｂが挿通された状態で、傾動不能に側壁３ｃに取付けられている。このとき、し尿受け部６ｃは側壁３ｃの内部と外部に同時に露出された状態となっている。
このような構造のトイレユニット１ｃにおいては、内部と外部で小用便器５ｃを同時に利用することができる。これにより、トイレユニット１ｃの使用効率が高まる。また、凸部２１は、開口部４ｃを通して各利用者の姿が互いに見えることがないように遮蔽する。従って、各利用者は安心して快適に小用便器５ｃを利用することができる。
【００３０】
なお、本考案のトイレユニット１ｃは本実施例に示した構成に限定されるものではなく、種々変形可能である。例えば、側壁３ｃに設けられた開口部４ｃにおいて、その開口面積がトイレユニット１ｃの内外の利用者の姿が互いに見えない程度に小さい場合には、凸部２１を省略した形状とすることができる。
【産業上の利用可能性】
【００３１】
以上説明したように、請求項１乃至請求項５に記載された本考案は、仮設トイレだけでなく小用便器が設置された常設トイレについても適用可能である。
【図面の簡単な説明】
【００３２】
【図１】（ａ）及び（ｂ）は本考案の実施の形態に係るトイレユニットの実施例１において小用便器をトイレの外部及び内部でそれぞれ使用する場合の外観斜視図である。
【図２】実施例１のトイレユニットの平面図である。
【図３】（ａ）及び（ｂ）はそれぞれ実施例１のトイレユニットの小用便器の正面図及び側面図であり、（ｃ）は固定部材の外観斜視図である。
【図４】（ａ）は実施例１のトイレユニットの内部側の小用便器及びその周辺を示す部分拡大図であり、（ｂ）は図４（ａ）のＸ−Ｘ線矢視断面図である。
【図５】本考案の実施の形態に係るトイレユニットの実施例２において小用便器をトイレの外部で使用する場合の外観斜視図である。
【図６】（ａ）及び（ｂ）はそれぞれ実施例２のトイレユニットの小用便器の正面図及び側面図であり、（ｃ）は固定部材の外観斜視図である。
【図７】（ａ）は実施例２のトイレユニットの内部側の小用便器及びその周辺を示す部分拡大図であり、（ｂ）は図７（ａ）のＹ−Ｙ線矢視断面図である。
【図８】（ａ）及び（ｂ）はそれぞれ実施例３のトイレユニットの小用便器の正面図及び側面図であり、（ｃ）は固定部材の外観斜視図である。
【図９】（ａ）は実施例３のトイレユニットの内部側の小用便器及びその周辺を示す部分拡大図であり、（ｂ）は図９（ａ）のＺ−Ｚ線矢視断面図である。
【図１０】従来技術の仮設トイレの斜視図である。
【符号の説明】
【００３３】
１ａ〜１ｃ…トイレユニット  ２…台座  ３ａ〜３ｃ…側壁  ３ｄ…屋根  ４ａ，４ｂ…開口部  ５ａ〜５ｃ…小用便器  ６ａ〜６ｃ…し尿受け部  ７…仕切り板  ８…固定具  ８ａ…鉛直軸  ９…洋式便器  ９ａ…配管  １０…手洗カウンター  １１ａ，１１ｂ…仕切り壁  １２ａ，１２ｂ…ドア  １３…排出口  １４ａ〜１４ｃ…側面  １５…把持部  １６ａ，１６ｂ…支軸部  １７ａ…ネジ孔  １７ｂ…貫通孔  １７ｃ…突起部  １７ｄ…貫通孔  １８ａ〜１８ｃ…固定部材  １９…配管取付部材  ２０…配管  ２１…凸部  ２２ａ，２２ｂ…ストッパ  ２３…長孔  Ａ〜Ｄ…矢印  ５１…本体  ５１ａ…壁面  ５２…タンク  ５３…開口部  ５４…小用便器  ５４ａ…便器本体  ５４ｂ…ホース  ５５，５６…仕切り板  ５７…固定具  ５７ａ…パイプ  ５７ｂ…固定パイプ  ５８…屋根  ５９…ストッパ棒  ６０…ストッパ
【図１】
0003122383.tif 000003
【図２】
0003122383.tif 000004
【図３】
0003122383.tif 000005
【図４】
0003122383.tif 000006
【図５】
0003122383.tif 000007
【図６】
0003122383.tif 000008
【図７】
0003122383.tif 000009
【図８】
0003122383.tif 000010
【図９】
0003122383.tif 000011
【図１０】
0003122383.tif 000012